(57)【要約】【課題】地盤に所定の基礎フーチングと地中梁を構築するに際して、地盤を掘削する土量および埋め戻す土量を大幅に減ずること。【解決手段】地盤Ｇの基礎フーチングと地中梁となる部位を内外周から包囲するようにして複数の鋼矢板１１〜１７を打ち込む「鋼矢板打ち込み工程」と、打ち込まれた鋼矢板１１〜１７にて包囲された部位の地盤Ｇを所定の深さまで掘削する「掘削工程」と、この行程にて形成された空間Ｓ部位に鉄筋組立体６０を構築する「鉄筋構築工程」と、鉄筋組立体６０を収容する空間Ｓ部位に鋼矢板１１〜１７を型枠としてコンクリート７０を充填して固化させる「コンクリート打設工程」と、鋼矢板１１〜１７を引き抜く「鋼矢板引き抜き工程」と、鋼矢板１１〜１７を引き抜くことにより形成される空間に土を埋め戻して整地する「埋め戻し整地工程」を実行して、地盤Ｇに所定の基礎フーチングと地中梁を構築する。【選択図】  図１
2004332368.tif 000002
【特許請求の範囲】
【請求項１】
複数の基礎フーチングと地中梁を構築すべき地盤にて同基礎フーチングと同地中梁となる部位を外周および内周から包囲するようにして複数の鋼矢板を打ち込む鋼矢板打ち込み工程と、この鋼矢板打ち込み工程にて打ち込まれた前記鋼矢板にて包囲された部位の地盤を所定の深さまで掘削する掘削工程と、この掘削行程にて形成された空間部位に所定形状の鉄筋組立体を構築する鉄筋構築工程と、前記鉄筋組立体を収容する前記空間部位に前記鋼矢板を型枠としてコンクリートを充填して固化させるコンクリート打設工程と、前記鋼矢板を引き抜く鋼矢板引き抜き工程と、前記鋼矢板を引き抜くことにより形成される空間に土を埋め戻して整地する埋め戻し整地工程を実行して、地盤に所定の基礎フーチングと地中梁を構築するコンクリート基礎の施工方法。
【請求項２】
請求項１に記載のコンクリート基礎の施工方法において、前記鉄筋構築工程の前に、前記鋼矢板の空間側露呈面にコンクリートの付着を防止するための表面処理を施す表面処理工程を設けたことを特徴とするコンクリート基礎の施工方法。
【請求項３】
請求項２に記載のコンクリート基礎の施工方法において、前記表面処理工程は、前記鋼矢板の空間側露呈面にシートを貼り付ける工程であることを特徴とするコンクリート基礎の施工方法。
【請求項４】
請求項１に記載のコンクリート基礎の施工方法において、前記鋼矢板は、横断面形状が直線形状または中間部に略９０度の折れ曲がり部を１個または２個有する屈曲形状であって、両横端部に縦方向にて抜き差し可能に嵌合されて横方向にて連結可能な連結部を有しており、背面に補強板を有していることを特徴とするコンクリート基礎の施工方法。
【発明の詳細な説明】
【０００１】
【発明の属する技術分野】
本発明は、地盤に所定の基礎フーチングと地中梁を構築するためのコンクリート基礎の施工方法に関する。
【０００２】
【従来の技術】
地盤に所定の基礎フーチングと地中梁を構築する場合、一般的には、基礎フーチングと地中梁を構築するための鉄筋と型枠を組み立てる構築空間および作業空間（作業者が入って作業可能なスペース）を作るために多量の土を掘削する「余掘り工程」と、作業空間にて構築空間に鉄筋を組み立てる工程および鉄筋組立体の全体を包囲するように型枠を組み立てる工程と、型枠内にコンクリートを充填して固化させるコンクリート打設工程と、型枠を分解撤去する工程と、コンクリートの打設によって基礎フーチングと地中梁を構築した後に作業空間に多量の土を埋め戻して整地する「埋め戻し整地工程」を実行する必要がある。
【０００３】
【発明が解決しようとする課題】
上記した従来の施工方法では、基礎フーチングと地中梁を構築するための鉄筋と型枠を組み立てる構築空間および作業空間を作るために多量の土を掘削する「余掘り工程」が必要であり、また基礎フーチングと地中梁を構築した後に作業空間に多量の土を埋め戻して整地する「埋め戻し整地工程」が必要である。ところで、作業空間は、一般的に、構築空間の両側に形成されるため、構築空間に比して大きくて、上記した従来の「余掘り工程」および「埋め戻し整地工程」の実行には多大な労力を要するため作業性が悪い。
【０００４】
【発明の概要】
本発明は、上記した課題に対処するためになされたものであり、複数の基礎フーチングと地中梁を構築すべき地盤にて同基礎フーチングと同地中梁となる部位を外周および内周から包囲するようにして複数の鋼矢板を打ち込む「鋼矢板打ち込み工程」と、この「鋼矢板打ち込み工程」にて打ち込まれた前記鋼矢板にて包囲された部位の地盤を所定の深さまで掘削する「掘削工程」と、この「掘削行程」にて形成された空間部位に所定形状の鉄筋組立体を構築する「鉄筋構築工程」と、前記鉄筋組立体を収容する前記空間部位に前記鋼矢板を型枠としてコンクリートを充填して固化させる「コンクリート打設工程」と、前記鋼矢板を引き抜く「鋼矢板引き抜き工程」と、前記鋼矢板を引き抜くことにより形成される空間に土を埋め戻して整地する「埋め戻し整地工程」を実行して、地盤に所定の基礎フーチングと地中梁を構築することに特徴がある。
【０００５】
この施工方法では、鋼矢板を型枠として利用しているため、掘削により形成された空間内で構築される従来の型枠（所定形状の鉄筋組立体の全体を包囲する型枠）が不要であり、同型枠を組立てるための作業空間を作るために多量の土を掘削する「余掘り工程」が不要となるとともに、基礎フーチングと地中梁を構築した後に実行される「埋め戻し整地工程」にて埋め戻して整地すべき土量を少量とすることが可能である。したがって、地盤に所定の基礎フーチングと地中梁を構築するに際して、地盤を掘削する土量および埋め戻す土量を従来に比して大幅に減ずることができて、作業性を向上させるとともに、コスト低減を図ることが可能である。
【０００６】
また、本発明においては、上記した施工方法において、「鉄筋構築工程」の前に、前記鋼矢板の空間側露呈面にコンクリートの付着を防止するための表面処理を施す「表面処理工程」を設けることも可能である。この「表面処理工程」は、例えば、前記鋼矢板の空間側露呈面に紙、ビニールなどのシートを貼り付ける工程であってもよい。この場合には、コンクリートの鋼矢板への付着を防止することができて、「鋼矢板引き抜き工程」での鋼矢板の引抜性を良好として、作業性の向上を図ることが可能であるとともに、コンクリート表面の剥離を防止することが可能であり、地盤に構築される基礎フーチングと地中梁の施工精度を高めることが可能である。
【０００７】
また、上記した施工方法において、前記鋼矢板は、横断面形状が直線形状または中間部に略９０度の折れ曲がり部を１個または２個有する屈曲形状であって、両横端部に縦方向にて抜き差し可能に嵌合されて横方向にて連結可能な連結部を有しており、背面に補強板を有していることも可能である。この場合には、補強板により鋼矢板の剛性を高めることが可能であって、鋼矢板の変形を抑制することが可能であるとともに、鋼矢板を両横端部の連結部にて連続的に連結することが可能である。したがって、鋼矢板は型枠としての機能を十分は果たすことが可能である。
【０００８】
【発明の実施の形態】
以下に、本発明の一実施形態を図面に基づいて説明する。図１は本発明によるコンクリート基礎の施工方法を実施する際の地中梁部位での各工程を概略的に示すためのものであり、（ａ）は鋼矢板１１〜１７を地盤Ｇに打ち込む「鋼矢板打ち込み工程」後の状態を示し、（ｂ）は鋼矢板１１〜１７によって囲まれた地盤Ｇを掘削して空間Ｓを形成する「掘削工程」後の状態を示し、（ｃ）は鋼矢板１１〜１７の空間側露呈面に施される「表面処理工程」後の状態を示している。
【０００９】
また、図１の（ｄ）は空間Ｓ内に鉄筋組立体６０を構築する「鉄筋構築工程」後の状態を示し、（ｅ）は鉄筋組立体６０を収容する空間Ｓ内にコンクリートを打設する「コンクリート打設工程」中の状態を示し、（ｆ）は「コンクリート打設工程」後の状態を示し、（ｇ）は鋼矢板１１〜１７を地盤Ｇから引き抜いた後に土を埋め戻し整地する「埋め戻し整地工程」後の状態を示している。
【００１０】
この実施形態においては、コンクリート基礎が図２に示した４個の基礎フーチング２１，２２，２３，２４と４個の地中梁３１，３２，３３，３４と４個の基礎柱４１，４２，４３，４４によって構成されていて、各基礎フーチング２１〜２４は各地中梁３１〜３４の下方部分にて連結接続され、各基礎フーチング２１〜２４の上方に図２および図４に仮想線にて示した型枠を用いて構築される各基礎柱４１〜４４は、各地中梁３１〜３４の上方部分（両端部が各基礎柱４１〜４４とともに図２の仮想線にて示した型枠を用いて構築される）にて連結接続される。
【００１１】
「鋼矢板打ち込み工程」は、図２に示した４個の基礎フーチング２１，２２，２３，２４と４個の地中梁３１，３２，３３，３４を構築すべき地盤Ｇにて基礎フーチング２１〜２４と地中梁３１〜３４となる部位を外周および内周から包囲するようにして図３に示した７種で多数枚の鋼矢板１１，１２，１３，１４，１５，１６，１７を打ち込む工程である。この「鋼矢板打ち込み工程」では、７種の各鋼矢板１１〜１７が適宜に選択されて、周知の矢板圧入打ち込み機（図示省略）を用いて順次連続的に打ち込まれる。
【００１２】
図３にて示した各鋼矢板１１〜１７は、縦寸法が横寸法に比して長く形成されていて、基本的な横断面形状が異なっており、両横端部に縦方向にて抜き差し可能に嵌合されて横方向にて連結可能な連結部１１ａ・１１ｂ〜１７ａ・１７ｂを有している。また、各鋼矢板１１〜１７は、連結部１１ａ・１１ｂ〜１７ａ・１７ｂが基礎フーチング２１〜２４と地中梁３１〜３４の隅角部に一致しないように形成されていて、連結された状態の連結部１１ａ・１１ｂ〜１７ａ・１７ｂでは略面一となる壁面が形成されるようになっている。なお、各鋼矢板１１〜１７は、横寸法（幅）が略５０ｃｍであるものを基本寸法として形成されているが、例えば、横寸法が略６０ｃｍのものや略３０ｃｍのものを形成しておくと便利である。
【００１３】
鋼矢板１１は、横断面形状が直線形状であって、背面には二つの補強板１１ｃが設けられている。各鋼矢板１２，１３は、横断面形状が中間部に略９０度の内折れ曲がり部を１個有する屈曲形状であって、背面には一つの補強板１２ｃ，１３ｃが設けられている。各鋼矢板１４，１５は、横断面形状が中間部に略９０度の外折れ曲がり部を１個有する屈曲形状であって、背面には一つの補強板１４ｃ，１５ｃが設けられている。各鋼矢板１６，１７は、横断面形状が中間部に略９０度の折れ曲がり部を２個有する屈曲形状であって、背面には一つの補強板１６ｃ，１７ｃが設けられている。
【００１４】
「掘削工程」は、「鋼矢板打ち込み工程」の実行により鋼矢板１１〜１７によって囲まれた地盤Ｇ（図２および図３参照）を周知の掘削機（図示省略）を用いて所定の深さまで掘削して、基礎フーチング２１〜２４と地中梁３１〜３４と基礎柱４１〜４４によって形成されるコンクリート基礎となる部位に空間Ｓ（図１（ｂ）参照）を形成する工程である。なお、この「掘削工程」後には、通常、空間Ｓの底部に捨てコンクリート５１が施工される。
【００１５】
「表面処理工程」は、各鋼矢板１１〜１７の空間Ｓ側露呈面に例えば紙製またはビニール製のシート５２（図１〜図４では破線で示されている）を貼り付ける工程であり、捨てコンクリート５１の施工の前または後に実行される。これにより、各鋼矢板１１〜１７の空間Ｓ側露呈面へのコンクリート７０の付着が防止されるとともに、各鋼矢板１１〜１７の連結部１１ａ・１１ｂ〜１７ａ・１７ｂへのコンクリート７０の侵入が防止される。
【００１６】
「鉄筋構築工程」は、「掘削行程」にて形成された空間Ｓ内に所定形状の鉄筋組立体６０を構築する工程であり、鉄筋組立体６０は捨てコンクリート５１の上に構築される。なお、この「鉄筋構築工程」時または「鉄筋構築工程」後には、図４に仮想線にて示した型枠（各基礎フーチング２１〜２４の上方に各基礎柱４１〜４４とこれらを連結接続するための各地中梁３１〜３４の上方両端部を構築するためのもの）が組み立てられる。
【００１７】
「コンクリート打設工程」は、鉄筋組立体６０を収容する空間Ｓ内に各鋼矢板１１〜１７を型枠としてコンクリート７０を充填して固化させる工程（図１の（ｅ）と（ｆ）および図４参照）であり、このときにはシート５２が各鋼矢板１１〜１７とコンクリート７０間に介在して、その後に実行される「鋼矢板引き抜き工程」時にシート５２が縁切材として機能する。なお、「コンクリート打設工程」は、各基礎フーチング２１〜２４とこれらを連結接続する各地中梁３１〜３４の下方部分が構築される部位にコンクリート７０を充填して固化させる初期工程と、各基礎柱４１〜４４とこれらを連結接続する各地中梁３１〜３４の上方部分が構築される部位にコンクリート７０を充填して固化させる後期工程からなる。
【００１８】
「鋼矢板引き抜き工程」は、コンクリート７０が固化した後に実行される工程であり、この工程では各鋼矢板１１〜１７が周知の矢板引抜機（図示省略）を用いて順次引き抜かれる。なお、この「鋼矢板引き抜き工程」時または「鋼矢板引き抜き工程」後には、図４に仮想線にて示した型枠が分解撤去される。
【００１９】
「埋め戻し整地工程」は、各鋼矢板１１〜１７を引き抜くことにより形成される小さな空間および各基礎フーチング２１〜２４の上方で各基礎柱４１〜４４とこれらを連結接続する各地中梁３１〜３４の上方両端部の周囲に形成される小さな空間に土を埋め戻して整地する工程であり、この工程の実行により、地盤Ｇへのコンクリート基礎の施工が完了する。
【００２０】
この実施形態の施工方法では、各鋼矢板１１〜１７を型枠として利用しているため、掘削により形成された空間内で構築される従来の型枠（所定形状の鉄筋組立体の全体を包囲する型枠）が不要であり、同型枠を組立てるための作業空間を作るために多量の土を掘削する「余掘り工程」が不要となるとともに、基礎フーチング２１〜２４と地中梁３１〜３４と各基礎柱４１〜４４を構築した後に実行される「埋め戻し整地工程」にて埋め戻して整地すべき土量を少量とすることが可能である。したがって、地盤Ｇに所定の基礎フーチング２１〜２４と地中梁３１〜３４を構築するに際して、地盤Ｇを掘削する土量および埋め戻す土量を従来に比して大幅に減ずることができて、作業性を向上させるとともに、コスト低減を図ることが可能である。
【００２１】
また、この実施形態においては、「鉄筋構築工程」の前に、各鋼矢板１１〜１７の空間Ｓ側露呈面にコンクリート７０の付着を防止するための表面処理、具体的には各鋼矢板１１〜１７の空間Ｓ側露呈面に例えば紙製またはビニール製のシート５２を貼り付ける「表面処理工程」を設けている。
【００２２】
このため、この実施形態においては、コンクリート７０の各鋼矢板１１〜１７への付着を防止することができて、「鋼矢板引き抜き工程」で各鋼矢板１１〜１７の引抜性を良好として、作業性の向上を図ることが可能であるとともに、コンクリート７０表面の剥離を防止することが可能であり、地盤Ｇに構築される基礎フーチング２１〜２４と地中梁３１〜３４の施工精度を高めることが可能である。
【００２３】
また、この実施形態においては、各鋼矢板１１〜１７が、横断面形状が直線形状または中間部に略９０度の折れ曲がり部を１個または２個有する屈曲形状であって、両横端部に縦方向にて抜き差し可能に嵌合されて横方向にて連結可能な連結部１１ａ・１１ｂ〜１７ａ・１７ｂを有しており、背面に補強板１１ｃ〜１７ｃを有している。
【００２４】
このため、各補強板１１ｃ〜１７ｃにより各鋼矢板１１〜１７の剛性を高めることが可能であって、各鋼矢板１１〜１７の変形を抑制することが可能であるとともに、各鋼矢板１１〜１７を両横端部の連結部１１ａ・１１ｂ〜１７ａ・１７ｂにて連続的に連結することが可能である。したがって、各鋼矢板１１〜１７は型枠としての機能を十分は果たすことが可能である。
【００２５】
上記実施形態においては、各鋼矢板１１〜１７の全てに補強板１１ｃ〜１７ｃ（薄肉板で自由端部をＵ字状に折り曲げて構成したもの）を設けて実施したが、これらの補強板の構成は適宜変更可能（例えば、厚肉板で自由端部に丸鋼棒を溶接にて固着したもの、或いは、各鋼矢板を引き抜き材で構成し補強板を一体的に形成すること）であることは勿論のこと、補強板１１ｃ〜１７ｃは適宜省略して実施することも可能である。また、上記実施形態においては、各鋼矢板１１〜１７の空間Ｓ側露呈面に例えば紙製またはビニール製のシート５２を貼り付ける表面処理を施して実施したが、これに代えて各鋼矢板１１〜１７の空間Ｓ側露呈面に剥離剤を塗布する表面処理を施して実施することも可能である。
【００２６】
また、上記実施形態においては、各鋼矢板１１〜１７に位置保持具を設けないで実施したが、図５にて概略的に示したように、各鋼矢板１１〜１７に位置保持具８０，９０を設けて実施することも可能である。位置保持具８０は、空間Ｓ上に張られた上梁（長さ調整可能な突っ張り棒）であり、一般的には、各鋼矢板１１〜１７の上端部に沿って設置される両角材（図示省略）間に適宜間隔で配置されて、各鋼矢板１１〜１７の空間Ｓ側への倒れ込みを防止する。一方、位置保持具９０は、地盤Ｇ地上に張られた長さ調整可能な引っ張り棒であり、各鋼矢板１１〜１７の空間Ｓ側への倒れ込みを防止する。
【図面の簡単な説明】
【図１】本発明によるコンクリート基礎の施工方法の一実施形態を示す工程説明図である。
【図２】複数の鋼矢板と、地盤に構築される基礎フーチングおよび地中梁等の関係を示す平面図である。
【図３】図２の部分拡大平面図である。
【図４】コンクリート打設工程途中での、複数の鋼矢板と、地盤に構築される基礎フーチングおよび地中梁等の関係を示す平面図である。
【図５】複数の鋼矢板に位置保持具を設けた実施形態を示す図である。
【符号の説明】
１１〜１７…鋼矢板、１１ａ・１１ｂ〜１７ａ・１７ｂ…連結部、１１ｃ〜１７ｃ…補強板、２１〜２４…基礎フーチング、３１〜３４…地中梁、４１〜４４…基礎柱、５１…捨てコンクリート、５２…シート、６０…鉄筋組立体、７０…コンクリート、８０，９０…位置保持具、Ｇ…地盤、Ｓ…空間。
【図１】
2004332368.tif 000003
【図２】
2004332368.tif 000004
【図３】
2004332368.tif 000005
【図４】
2004332368.tif 000006
【図５】
2004332368.tif 000007